(57)【要約】【課題】ごく軽量で構造が簡単であり、携帯が容易であって、携帯している限り、自己の動くだけの狭い範囲が確保されるならば、いつでも基本動作の練習ができる自己姿勢のバランス検出計を提供する。【解決手段】カード状薄板の一端箇所を銜え部としてその先方の眼前相当位置に左右の傾斜が検出され得るよう表面下に透視し得る埋蔵気泡管を前端縁に沿って長く設け、埋蔵気泡管がカード状薄板の厚み内に形作った帯状内空に液体及び気泡の気体とを封入して構成されている。【効果】使用が簡単であって、気泡の位置を確認し、頭を垂直、水平に調整しながら身体に一本筋を通しながら、それを中心軸として、身体を動かす簡単な基本動作となるため、携帯している限り、自己の動くだけの範囲が確保されるならば、いつでも場所を問わずに体幹力を養う練習ができ、また、製造が容易であり量産に適する。【選択図】    図１
2015051252.tif 000002
【特許請求の範囲】
【請求項１】
カード状薄板の一端箇所を銜え部としてその先方の眼前相当位置に左右の傾斜が検出され得るよう表面下に透視し得る埋蔵気泡管を前端縁に沿って長く設け、埋蔵気泡管がカード状薄板の厚み内に形作った帯状内空に液体及び気泡の気体とを封入して構成されていることを特徴とする自己姿勢のバランス検出計。
【請求項２】
請求項１記載の自己姿勢のバランス検出計において、カード状薄板がアクリル樹脂からなる透明な複数枚の極薄板を重ね合わせて接着するとともに、重ね合わせの少なくとも一枚の極薄板に凹溝又は抜溝を予め形成しておき、重ね合わせの接着時に凹溝又は抜溝に他の極薄板が当たることで帯状内空を形成するとともに、その帯状内空に気泡分を差し引いた液体を封入して埋蔵気泡管を形成することを特徴とする自己姿勢のバランス検出計の製造方法。
【請求項３】
請求項１記載の自己姿勢のバランス検出計において、カード状薄板を主体とし、この主体とそれをシュリンク包装して一体化するが透明な熱収縮性シートまたはフィルムとからなり、主体としての薄板に凹溝を形成しておき、一体化したシートにより封じてなる帯状内空に気泡分を差し引いた液体を封入して埋蔵気泡管を形成することを特徴とする自己姿勢のバランス検出計の製造方法
【発明の詳細な説明】
【技術分野】
【０００１】
この発明は、頭部を垂直、水平に保つバランスで体の軸を真っ直ぐに整えながら、これにより運動や動作の基本に要する体幹力を身につけるための自己姿勢のバランス検出計およびその製造方法に関する。
【０００２】
即ち、ここにいう自己姿勢のバランス検出計とは、バランスを取ることを目的として身につけるもので、例えば、軸を中心とするゴルフのスイング練習動作、頭部を一定に保って水平・垂直の感覚を身に付ける踊りやダンスの動作、身体のネジレやヨジレ等を修正する自己整体動作、さらには頭部を一定に維持しながら美しく疲れない歩き方をするモデルのレッスン動作等の練習に使用するものである。
【背景技術】
【０００３】
スポーツ、舞踊、ウオーキングフアッションや、日常生活の何気ないしぐさにおいても、美しく疲れないような正しい動作には一定の法則があることが知られている。それは、身体の中心を貫くラインとしての中心軸を想定し、それを基準にして、垂直、水平に力や形等をバランス良く配分する能力としての体幹力である。従来は、先輩の指導を仰ぎ、あるいは鏡の前に立つ等して間違いを正すことでバランス配分能力を身につけていた。 
【発明の概要】
【発明が解決しようとする課題】
【０００４】
従来では、動作の基本を整えるためには、このように指導者や鏡等の存在が前提になるので、運動の基本、体幹力の向上を図ろうとしても個人的に気軽に練習はできなかった。
【０００５】
この発明は、上記のような実情に鑑みて、ごく軽量で構造が簡単であり、携帯が容易であって、携帯している限り、自己の動くだけの狭い範囲が確保されるならば、いつでも基本動作の練習ができる自己姿勢のバランス検出計を提供することを課題とした。
【課題を解決するための手段】
【０００６】
上記の課題を解決するために、この発明は、カード状薄板の一端箇所を銜え部としてその先方の眼前相当位置に左右の傾斜が検出され得るよう表面下に透視し得る埋蔵気泡管を前端縁に沿って長く設け、埋蔵気泡管がカード状薄板の厚み内に形作った帯状内空に液体及び気泡の気体とを封入して構成されていることを特徴とする自己姿勢のバランス検出計を提供する。
【０００７】
上記の自己姿勢のバランス検出計によれば、一端の銜え部を口に銜えて身に付けながら、各運動の基本姿勢ないし初期姿勢をとって使用するもので、銜えた状態では、前端部に気泡管が視覚されるので、基本的には、真ん中に気泡が位置するように頭を垂直、水平に調整することによって、体の中心ラインを自覚しつつ次の動作のステップに備えると同時にその動作に移りながら、各種運動の正しい基本動作について体幹力を養い身につけることができる。
【発明の効果】
【０００８】
以上説明したように、この発明の自己姿勢のバランス検出計によれば、ごく軽量で構造が簡単であり、カード形のため携帯が容易であって、銜えるだけで使用できるので、特に設備を要しないことはもちろん、使用が簡単であって、気泡の位置を確認し、頭を垂直、水平に調整しながら身体に一本筋を通しながら、それを中心軸として、身体を動かす簡単な基本動作となるため、携帯している限り、自己の動くだけの範囲が確保されるならば、いつでも場所を問わずに体幹力を養う練習ができ、また、製造が容易であり量産に適するという優れた効果がある。
【図面の簡単な説明】
【０００９】
【図１】この発明の実施例１として自己姿勢のバランス検出計を使用要領において示す斜視図である。
【図２】図１のA―A線矢視の拡大断面図である。
【図３】同自己姿勢のバランス検出計を製造手順で示す分解斜視図である。
【図４】同製造方法で組み立てた自己姿勢のバランス検出計を一部切り欠いて示す平面図である。
【図５】実施例２によるバランス検出計を製造手順で示す斜視図である。
【図６】同製造方法で組み立てた自己姿勢のバランス検出計を一部切り欠いて示す平面図である。
【図７】実施例３による自己姿勢のバランス検出計の製造要領を示す斜視図である。
【図８】同手順で製造した自己姿勢のバランス検出計について示す図２に対応する断面図である。
【図９】この発明の自己姿勢のバランス検出計の使用状態の一例を示す斜視図である。
【発明を実施するための形態】
【００１０】
この発明は、透明なカード状薄板１の後ろ端を銜え部９としてその先方の眼前相当位置に左右の傾斜を検出し得るよう気泡管６を備えたもので、気泡管６は、薄板１の厚みの中に埋蔵して設けられる。これで、薄板１が均一に平たいため、多数枚を積み重ねてまとめやすく、運搬、保管、管理に好都合であり、ポケットやカバンなどに入れて携帯しやすい利点もある。
【００１１】
体幹力を養う姿勢や運動については、それぞれの種類により様々となるが、最も基本的な使用としては、口で銜えた状態で壁に尻と背中をつけ後頭部もつけながら、真ん中に気泡８がくるように視覚しつつ体全体を真っ直ぐに調整する。また、この場合、目視により先端の水平ラインに両足先を揃える使用の仕方もできる。
【００１２】
また、気泡管６又はその近くに縦横又はその一方の目印２０を設けておけば、水平、傾斜程度の確認がしやすい。
【００１３】
上記のような簡単な基本的動作や姿勢によっても、次のような効能が期待できる。
（１）常に真っ直ぐの状態を体で知り、バランスの取れた運動をすることで最適な運動効率を産み出すことが可能となる。
（２）頭部から真っ直ぐになることで血流が良くなり、多くの疾患の予防に効果があり血圧も正常化される。
（３）血流が改善されたり精神が安定すること等により、美容上好まれる所謂「小顔」、「小頭」となり、また、猫背も改善される。
（４）姿勢を正し精神を安定化させることで、血液が清浄化されため、殊に疲労回復に効果が期待できる。
【実施例１】
【００１４】
図１ないし図４は、一実施例を示し、その自己姿勢のバランス検出計Ｐは、広くスポーツの基本姿勢に、例えばゴルフのスイングの練習用に適するよう軽量化される。本体としてのカード状薄板１は、アクリル樹脂の３枚の透明な極薄板２，３，３からなり、これを重ねて一体化したもので、そのうちの中板２の一端部にその縁に沿って抜溝５を設けてあって、これを真ん中に３枚の極薄板２，３，３を重ねあわせながら、アルコール等の液体７を封入して接着し、接着により抜溝５が密封されてなる帯状の埋蔵気泡管６が構成される（図１、図４）。また、気泡管６には、気泡８の位置を、つまり板の傾斜程度を識別しやすく目印２０が設けられている。
【００１５】
埋蔵気泡管６は、一般の工具としての水準器におけるパイプ材からなる露出した気泡管に相当するものであるが、全体的に重い工具とは違い、軽くカード状であるため重ねて仕舞うのにまとめやすく、携帯しやすく、また、銜えやすい。カード状の維持のため肉厚内に気泡管６を構成した点で工具との違いが大きい。気泡８を視覚しやすくできるだけ幅広く埋蔵気泡管６を構成できる点でも違いがある。
【００１６】
埋蔵気泡管６の手前としての後端部は、該部もカード形状の維持のため偏平のまま銜え部９として形成されている。銜え部９と埋蔵気泡管６との間に、銜えながら気泡管６を視覚できる距離を有する。この面が広告宣伝用の記載（図示省略）の個所となっている。
【００１７】
図９は、ゴルフのスイングの練習において、自己姿勢のバランス検出計Ｐを口に銜えて基本姿勢としてのスタンスの体勢をとった状態を示したもので、検出計Pが水平になるようにして顔がほゞ垂直に保たれ、中心軸を正しく捉えている。つまり、気泡８がほゞ中央に位置することを確認しながら、スタンス体勢を取って、正確にスイング動作に入ろうとしている。
【実施例２】
【００１８】
図５および図６は、さらに別の実施例を示したもので、この場合は、表裏２枚の極薄板１０，１１を二枚合わせに一体化したもので、基板（２ｍｍ板）としての裏極薄板１１の前面に横長の凹溝１５を設け、１ｍｍ板の表極薄板１０との張りあわせにより凹溝１５が封じられて内空となり、その中に液体７と気泡８が封じこまれて埋蔵気泡管６が構成される。
【実施例３】
【００１９】
図７および図８は、さらに別の実施例を示したもので、この場合は、横長の凹溝１７を設けた溶着に適する熱可塑性樹脂の薄板１３と熱収縮性樹脂の被覆シート１９（フィルムを含む、チューブ状素材が使用される）とからなるもので、薄板１３の全体が被覆シート１９に包まれた状態において熱雰囲気に通すことにより、被覆シート１９を収縮させ、密着した表面層に超音波等を当て溶着により一体化される。そして、凹溝１７が被覆シート１９により封じられる内空に、同時に液体７と気泡８が封入されて気泡管６が構成される。  
【符号の説明】
【００２０】
P  自己姿勢のバランス検出計
１  カード状薄板
２、３  極薄板
５  抜溝
６  埋蔵気泡管
７  液体
８  気泡
９  銜え部
１０、１１  極薄板  
１３  薄板
１５，１７  凹溝
１９  被覆シート
２０  目印
【図１】
2015051252.tif 000003
【図２】
2015051252.tif 000004
【図３】
2015051252.tif 000005
【図４】
2015051252.tif 000006
【図５】
2015051252.tif 000007
【図６】
2015051252.tif 000008
【図７】
2015051252.tif 000009
【図８】
2015051252.tif 000010
【図９】
2015051252.tif 000011